(57)【特許請求の範囲】
【請求項１】
給湯器と、該給湯器を遠隔操作するためのリモコン装置と、前記給湯器に接続されるオプション機器とを備え、これらの機器が相互に通信可能に構成された給湯システムであって、前記給湯器、リモコン装置およびオプション機器のいずれかにデータ記憶手段が設けられ、このデータ記憶手段に前記給湯器に接続できるリモコン装置およびオプション機器を特定する情報が記憶され、
前記リモコン装置の備える操作スイッチの所定操作によって、前記データ記憶手段に記憶された情報が該リモコン装置の備える表示部に表示される給湯システムにおいて、
前記給湯器、リモコン装置およびオプション機器のいずれかに給湯システムの接続状況を確認する接続状況確認手段が設けられるとともに、この接続状況確認手段で得た接続状況と前記データ記憶手段に記憶された情報とを比較して、前記給湯器に接続された機器についての接続の適否を判定する接続判定手段が、前記給湯器、リモコン装置およびオプション機器のいずれかに設けられている
ことを特徴とする給湯システム。
【請求項２】
前記データ記憶手段に記憶された情報の前記表示部への表示は、前記操作スイッチの所定操作により、前記表示部に、まず前記給湯器に接続可能なリモコン装置やオプション機器の組み合わせの一つ目を表示し、前記給湯器に接続可能なリモコン装置やオプション機器の他の組み合わせは、前記操作スイッチの更なる操作によって表示部に順次表示されるように構成されていることを特徴とする請求項１に記載の給湯システム。
【請求項３】
前記接続判定手段での判定の結果が、前記リモコン装置の表示部に表示されることを特徴とする請求項１または２に記載の給湯システム。
【請求項４】
前記リモコン装置の表示部として、発光部が点状に構成された複数の蛍光表示管を縦横に整列配置してなり、表示内容が前記各蛍光表示管の点滅によって文字や図形として表示される表示パネルを備えた
ことを特徴とする請求項１から３のいずれか一つに記載の給湯システム。
【請求項５】
給湯器と、該給湯器を遠隔操作するためのリモコン装置と、前記給湯器に接続されるオプション機器とを備え、これらの機器が相互に通信可能に構成された給湯システムにおいて、
前記給湯器とオプション機器との通信線に、前記オプション機器に対して電源を供給する電源装置が接続され、前記オプション機器がこの電源装置から電源供給を受けるように構成されている
ことを特徴とする給湯システム。
【請求項６】
前記電源装置と同一ユニット内に通信バッファ装置が設けられ、この通信バッファ装置によって、前記通信線を介して前記給湯器とオプション機器との間で送受信される信号が電気的に絶縁されていることを特徴とする請求項５に記載の給湯システム。
【発明の詳細な説明】
【０００１】
【発明の属する技術分野】
この発明は給湯システムに関し、より詳細には、一台の給湯器に対してリモコン装置やオプション機器が複数台接続される給湯器システムに関する。
【０００２】
【従来の技術】
従来の給湯システムは、該システムで実現可能な機能（たとえばカランやシャワー等への給湯や、浴槽への注湯・追い焚きといった機能）が固定的であったが、最近ではユーザの好みに応じて給湯器にオプション機器（たとえばソーラー給湯器ユニットや浴室暖房ユニット等）を追加接続することによって、当該システムでより多くの機能（たとえばソーラー給湯機能や浴室暖房機能等といった付加機能）が実現可能とされている。
【０００３】
ここで、かかるオプション機器の接続態様を図５に示す。図示例では、オプション機器ＯＰが３台接続された場合を示しており、この場合、各オプション機器ＯＰはいずれもリモコンコードｂを介して給湯器ａに設けられるオプション機器接続用の接続端子ｃに接続される。
【０００４】
給湯器ａと各オプション機器ＯＰとは、上記リモコンコードｂを介して相互に通信を行い、給湯器ａからオプション機器ＯＰの遠隔制御が可能とされるとともに、各オプション機器ＯＰは、上記リモコンコードｂを介して給湯器ａの電源部ｄから電源の供給を受けている。つまり、給湯器ａ側では、給湯器ａの電源部ｄと上記接続端子ｃとが接続されおり、上記遠隔制御用の信号が上記電源に重畳されて各オプション機器ＯＰに伝送されている。
【０００５】
【発明が解決しようとする課題】
しかしながら、このような構成では以下のような問題があり、その改善が望まれていた。
【０００６】
すなわち、従来の給湯システムでは、追加接続されるオプション機器の電源は全て給湯器側から供給されているため、給湯器側の電源の電源容量によって給湯器に接続できるオプション機器の台数が制限されるという問題があった。また、オプション機器の接続台数が増加すると、通信を行なうリモコンコードのラインインピーダンスが低下して信号が減衰するため、この点でも接続台数が実質的に制限されていた。さらに、接続されるオプション機器の種類によっては動作が競合するものもあり、このような動作の競合を回避するために機器の組み合わせにも制限があった。
【０００７】
しかも、このようなオプション機器の接続台数や組み合わせの制限は、オプション機器が接続される給湯器の形式（機種）や接続されるオプション機器の形式等種々の要因によって異なるため、オプション機器を追加接続する施工現場においてこの制限を確認することは容易でなく、またその確認方法も十分に確立されていなかった。そのため、これまでは作業員の教育やマニュアルの配付等によってかかる制限の周知徹底を図っていたが、それでは作業員の教育やマニュアルの作成・配付にコストがかかる一方、現場での作業が円滑に進まないという問題があった。
【０００８】
なお、上述した問題点は、いずれもオプション機器に関するものであるが、給湯器に接続されるリモコン装置についても同様の問題があり、その改善も必要であった。
【０００９】
本発明はかかる従来の問題点に鑑みてなされたものであって、その目的とするところは、給湯器に追加接続できるオプション機器等を容易に確認でき、しかも接続可能なオプション機器等の台数を従来のものより増加させ得る給湯システムを提供することにある。
【００１０】
【課題を解決するための手段】
上記目的を達成するため、本発明の請求項１に記載された給湯システムは、給湯器と、該給湯器を遠隔操作するためのリモコン装置と、上記給湯器に接続されるオプション機器とを備え、これらの機器が相互に通信可能に構成された給湯システムであって、上記給湯器、リモコン装置およびオプション機器のいずれかにデータ記憶手段が設けられ、このデータ記憶手段に上記給湯器に接続できるリモコン装置およびオプション機器を特定する情報が記憶され、上記リモコン装置の備える操作スイッチの所定操作によって、上記データ記憶手段に記憶された情報が該リモコン装置の備える表示部に表示される給湯システムにおいて、上記給湯器、リモコン装置およびオプション機器のいずれかに給湯システムの接続状況を確認する接続状況確認手段が設けられるとともに、この接続状況確認手段で得た接続状況と上記データ記憶手段に記憶された情報とを比較して、上記給湯器に接続された機器についての接続の適否を判定する接続判定手段が、上記給湯器、リモコン装置およびオプション機器のいずれかに設けられていることを特徴とする。
【００１１】
そして、好適な実施態様として、この給湯システムでは、上記データ記憶手段に記憶された情報の上記表示部への表示は、上記操作スイッチの所定操作により、上記表示部に、まず上記給湯器に接続可能なリモコン装置やオプション機器の組み合わせの一つ目を表示し、上記給湯器に接続可能なリモコン装置やオプション機器の他の組み合わせは、上記操作スイッチの更なる操作によって表示部に順次表示されるように構成される。また、上記接続判定手段での判定結果も上記リモコン装置の表示部に表示される。
【００１２】
すなわち、この請求項１に係る給湯システムは、給湯器、リモコン装置およびオプション機器のいずれかに、上記給湯器に接続可能なリモコン装置やオプション機器を特定する情報（接続許容機器情報）を記憶するデータ記憶手段を設けることにより、給湯システムの持つ通信機能を利用して、リモコン装置の操作で上記接続許容機器情報をリモコン装置の表示部に表示させる。そのため、作業員は、現場でリモコン装置の操作を行なうことによって給湯器に接続できるリモコン装置やオプション機器を迅速、容易かつ正確に把握することができるようになる。
【００１３】
また、給湯器、リモコン装置およびオプション機器のいずれかに接続状況確認手段を設けるとともに、この接続状況確認手段で得た給湯システムの接続状況と上記接続許容機器情報とを比較して接続の適否を判定する接続判定手段を設けたことにより、作業員はオプション機器の追加接続後にこの接続判定手段での判定結果を確認することで、事後的にリモコン装置等の接続の適否を容易に確認することができるようになる。
【００１４】
一方、本発明の請求項５に記載された給湯システムは、給湯器と、該給湯器を遠隔操作するためのリモコン装置と、上記給湯器に接続されるオプション機器とを備え、これらの機器が相互に通信可能に構成された給湯システムにおいて、上記給湯器とオプション機器との通信線に、上記オプション機器に対して電源を供給する電源装置が接続され、上記オプション機器がこの電源装置から電源供給を受けるように構成されていることを特徴とする。つまり、この請求項５の給湯システムでは、オプション機器に対する電源供給源が給湯器とは別の電源装置とされるため、給湯器電源部の電源容量による接続台数の制限が解消される。
【００１５】
また、請求項６に記載された給湯システムは、上記電源装置と同一ユニット内に通信バッファ装置が設けられ、この通信バッファ装置によって、上記通信線を介して上記給湯器とオプション機器との間で送受信される信号が電気的に絶縁されていることを特徴とする。つまり、この請求項６の給湯システムでは、通信バッファ装置により給湯器とオプション機器とを結ぶ信号の伝送路が電気的に絶縁されるため、給湯器に接続されるオプション機器の台数を増加させても通信線のラインインピーダンスは低下せず、ラインインピーダンスの低下に伴う接続台数の制限が解消される。
【００１７】
【発明の実施の形態】
以下、本発明に係る給湯システムの一実施形態を図１ないし図４に基づいて詳細に説明する。
【００１８】
実施形態１
図１に本発明に係る給湯システムの第１の実施形態を示す。この図１に示す給湯システムは、給湯器１と、該給湯器１を遠隔操作するためのリモコン装置２と、上記給湯器１に接続されるオプション機器３を主要部として構成されている。具体的には、図示の給湯システムでは、一台の給湯器１に対して二台のリモコン装置２ａ，２ｂと二台のオプション機器３ａ，３ｂがリモコンケーブル（通信線）４を介して接続されており、上記リモコン装置２の操作スイッチ（図示せず）によって上記給湯器１および給湯器１に接続された各オプション機器３の遠隔操作が可能とされている。
【００１９】
給湯器１は、周知の如く図示しないカランやシャワー等の給湯栓に温水を供給するとともに、風呂の追い焚き時などにおいて配管内を循環する湯水を加熱するための熱源を構成するもので、図１においてはこの熱源を構成する部分の図示は省略され、制御部５と電源部３０のみが現されている。
【００２０】
制御部５は、給湯器１の各部（たとえば図示しないバーナや電磁弁等）の動作を制御するコントローラであって、ＣＰＵ，ＲＯＭ，ＲＡＭ等を備えたマイクロコンピュータ（以下、マイコンと称する）６と該マイコン６の外部記憶手段たる不揮発性メモリ７とを主要部として構成されている。そして、上記ＲＯＭに記憶される所定のプログラムに基づいて上記ＣＰＵが給湯器１各部の動作制御に必要な処理、ならびに後述するリモコン装置２やオプション機器３の接続適否の判定処理等を行なっている。
【００２１】
不揮発性メモリ７は、この判定処理に必要なデータを記憶するデータ記憶手段として機能するものであり、具体的にはこの不揮発性メモリ７内には、給湯器１に接続できるリモコン装置２やオプション機器３を特定する情報（接続許容機器情報）が記憶されている。接続許容機器情報としては、たとえば、給湯器１の電源部３０の電流容量や、リモコン装置２およびオプション機器３の消費電力に関する情報、さらにはオプション機器３同士間での動作競合に関する情報など、給湯器１に接続できるリモコン装置２やオプション機器３の台数やその組み合わせの判定に必要なデータが格納される。
【００２２】
電源部３０は、給湯器１の各部に電源を供給する電源回路であって、商用電源（ＡＣ１００Ｖ）などの交流電源を所定の直流電源に変換するとともに、後述するようにリモコン装置２およびオプション機器３にも電源を供給している。具体的には、この電源部３０は、給湯器１各部と電気的に接続されるとともに、リモコン装置２やオプション機器３との通信を行なう通信インターフェース（図示せず）に接続され、上記通信線４を介してリモコン装置２およびオプション機器３に電源を供給している。
【００２３】
一方、リモコン装置２は、上記給湯器１およびオプション機器３の動作を遠隔操作するための装置であって、図示しない操作スイッチと通信インターフェス、ならびに図示される表示部８と、制御部９とを主要部として構成されている。
【００２４】
本実施形態では、リモコン装置２の表示部８は、発光部が点状に構成された複数の蛍光表示管を縦横に整列配置してなる表示パネルで構成されており、この表示パネルは、表示すべき文字や図形等に合わせて個々の蛍光表示管が適宜点滅することによって任意の文字や図形が表示可能とされている。
【００２５】
制御部９は、リモコン装置２のコントローラであって、上記給湯器１の制御部５と同様にマイコンで構成されている。そして、この制御部９は、上記操作スイッチの操作に応じて上記給湯器１（またはオプション機器３）に対して所定の遠隔操作用の制御信号を出力するとともに、上記給湯器１等から送信される信号（たとえば給湯器１やオプション機器３の動作状態や浴槽の状況などを知らせる信号）を受信して、上記表示部８に所定の表示（たとえば動作表示や状況表示など）を行わせている。また、この制御部９は、リモコン装置２が給湯器１に接続された際（あるいは定期的）に、当該リモコン装置２の形式（たとえば型番や搭載されるマイコンのバージョン情報等、リモコン装置２の機種）を特定するためのデータを装置外部に出力するように構成されている。
【００２６】
オプション機器３は、上記給湯システムに付加機能を与えるために給湯システムに追加接続される端末機器であり、このオプション機器３としては、たとえば、ソーラー接続ユニット（ＳＫＢ）、浴室暖房ユニット、洗い場暖房ユニット、洗濯注湯ユニット、浴槽洗浄ユニット（ＡＢＵ）、即出湯ユニットの各ユニットが例示され得る。なお、これらのユニットを給湯器１に追加接続することにより、給湯器１はソーラー給湯機能、浴室暖房機能、洗い場暖房機能、洗濯機への注湯機能、浴槽洗浄機能、即出湯機能の各機能を実現可能となる。
【００２７】
ところで、これらのオプション機器３は、いずれも図１に示すようにそれぞれ内部にマイコンで構成された制御部１０を備えており、上記給湯器１から出力される制御信号に基づいてそれぞれの動作がマイコン制御されるように構成されている。また、上記マイコンは、上記リモコン装置２と同様に、給湯システムにオプション機器３が接続されると、接続されたオプション機器３の形式を特定するための信号を外部に出力するように構成されている。
【００２８】
しかして、このように構成されてなる実施形態１に係る給湯システムでは、リモコン装置２やオプション機器３が新たに追加接続される場合に、以下の二通りの方法で追加接続の適否の判断が行われる。
【００２９】
Ａ：事前目視確認
リモコン装置２やオプション機器３を追加接続する場合、接続に先立って作業員の目視確認により接続適否の判断が行われる。具体的には、本実施形態の給湯システムでは、給湯器１の制御部５内に給湯器１に接続可能なリモコン装置２やオプション機器３を特定する情報（接続許容機器情報）が記憶されているので、リモコン装置２等の追加接続を行う作業員は、施工現場でリモコン装置２の操作スイッチを操作（所定操作）してこの接続許容機器情報をリモコン装置２の表示部８に表示させ、この表示に基づいて追加接続しようとするリモコン装置２等が追加接続可能なものか否かの判断を行う。
【００３０】
ここで、上記表示部８に表示する接続許容機器情報の表示態様の一例を図２に示す。この図２に示す例では、上記所定操作により、まず表示部８の画面上に給湯器１に接続可能なリモコン装置２やオプション機器３の組み合わせの一つ目が表示される。具体的には、図示例では給湯器１の機種名（図２の「ＧＴＨ−２４１３ＡＷＸＨ」参照）と、該給湯器１に接続されるリモコン装置２等の組み合わせの名称（図２「オプションＳＥＴ  Ａ」参照）と、該組み合わせの具体的な機器名称（図２の「ＴＶリモコン・ＡＢＵ」参照）とが表示されており、この表示から給湯器「ＧＴＨ−２４１３ＡＷＸＨ」には「ＴＶリモコン」と「ＡＢＵ（浴槽洗浄ユニット）」とを組み合わせての接続が可能であることが確認できる。
【００３１】
他の組み合わせを確認したい場合は、上記操作スイッチ（表示される組み合わせの変更を指示する操作スイッチ）を操作することにより、給湯器１に接続可能なリモコン装置２等の次の組み合わせ（図示例では、組み合わせの名称「オプションＳＥＴ  Ｂ」）を表示させて接続可能な機器の確認を行い、以下同様の操作によって順次給湯器１に接続可能な機器の組み合わせを表示させて、追加接続に先立つ事前確認を行う。
【００３２】
Ｂ：事後自動判定
次に、追加接続されるリモコン装置２等の自動判定について説明する。本実施形態の給湯システムでは、給湯器１に上記接続許容機器情報が記憶される一方で、上記リモコン装置２およびオプション機器３は、システムに追加接続された時点で自己の形式（機種）を確認する信号を給湯器１に送信するように構成されるため、リモコン装置２等が追加接続された場合、追加接続されたリモコン装置２等から送信される信号と上記接続許容機器情報とを給湯器１の制御部５において自動的に照合し、当該追加接続された機器が給湯器１に接続できるものか否か（つまり給湯器１の電源容量は足りるか、オプション機器３の動作競合の問題はないか）の判定が行われ、その結果が上記表示部８に表示される。
【００３３】
そのため、作業員は上記表示部８の表示を一見しただけで追加接続の適否を容易に確認でき、接続台数の制限オーバーや誤った組み合わせでの接続をいち早く発見できる。
【００３４】
実施形態２
次に、本発明の第２の実施形態を図３および図４に基づいて説明する。この第２の実施形態に示す給湯システムは、給湯器に接続されるリモコン装置およびオプション機器の台数制限の緩和を図る給湯システムであり、システム構成上、上記実施形態１と共通する部分には同一符号を付して説明を省略する。
【００３５】
図３に示す給湯システムは、給湯器１とオプション機器３（またはリモコン装置２）との間に中継装置１１が介装されてシステムが構成されており、オプション機器３はいずれもこの中継装置１１から電源供給を受けるように構成されている。
【００３６】
具体的には、この中継装置１１は、上記給湯器１とオプション機器３との間の通信を制御する通信バッファ装置１２と、上記オプション機器３に電源を供給する電源装置１３とを主要部として構成されており、各オプション機器３は上記電源装置１３から電源の供給を受けるとともに、通信バッファ装置１２を介して給湯器１と相互に通信するように構成されている。
【００３７】
通信バッファ装置１２は、図４に示すように、上記給湯器１とオプション機器３との信号伝送ライン上にフォトカプラ回路１４（具体的には信号の送受信に対応して一対のフォトカプラ１４ａ，１４ｂ）を備えることにより、信号の入力側と出力側とを電気的に絶縁するものであって、給湯器１と接続される端子１５と、オプション機器３と接続される端子１６と、上記端子１５とフォトカプラ回路１４との間にあって信号のＡ／Ｄ変換を行う通信回路１７と、上記端子１６とフォトカプラ回路１４との間にあって信号のＡ／Ｄ変換を行う通信回路１８と、上記フォトカプラ回路１４で送受信されるデジタルデータを所定のデータ形式に変換する制御回路１９とを主要部として構成されている。
【００３８】
また、この通信バッファ装置１２は、図中の一点鎖線で示す部分とその他の部分とのグランドを分離する（縁切る）ため、上記通信回路１７およびフォトカプラ１４ａのフォトダイオードの駆動電源が、給湯器１から電源供給を受ける電源回路２０によって生成供給されるとともに（図中のＤＣ５Ｖ(1) 参照）、上記通信回路１９、制御回路１９およびフォトカプラ１４ｂのフォトダイオードの駆動電源が、後述する電源装置１３から電源供給を受ける電源回路２１によって生成供給されている（図中のＤＣ５Ｖ(2) 参照）。
【００３９】
一方、上記電源装置１３は、上記給湯器１の電源部３０とは別個の電源回路であって、本実施形態ではスイッチング電源回路で構成されており、このスイッチング電源回路によって商用電源（ＡＣ１００Ｖ）を所定の直流電源（図示例ではＤＣ１５Ｖ）に変換し、上記電源回路２１と端子１６に供給している。
【００４０】
しかして、このように構成されてなる本発明の第２の実施形態に係る給湯システムにおける信号の流れを以下に説明する。
【００４１】
まず、給湯器１からオプション機器３に対して出力される制御信号（アナログ信号）は、上記通信回路１７によって一旦デジタル信号に変換される。そして、上記フォトカプラ１４ａを介して制御回路１９に送信され、制御回路１９においてオプション機器３の制御部において処理可能なデータ形式に変換された後、通信回路１８に送信される。通信回路１８では、このデータを再びアナログ信号に変換して端子１６に供給し、オプション機器３はこの端子１６を介して制御信号を受信してオプション機器３の動作制御制御を行なう。
【００４２】
一方、オプション機器３側から給湯器１に対して出力される信号は上述した流れと反対の流れを辿って給湯器１に伝達される。すなわち、オプション機器３から出力される信号は、上記端子１６から通信回路１８に供給され、ここでデジタル信号に変換された後、上記制御回路１９に与えられる。制御回路１９では、受信したデジタル信号を給湯器１の制御部で処理可能なデータ形式に変換し、フォトカプラ１４ｂを介して通信回路１７に送信する。そして、再び通信回路１７でアナログ信号に変換され、端子１５を介して給湯器１に供給される。
【００４３】
このように、本実施形態の給湯システムでは、給湯器１と各オプション機器３との間に中継装置１１が介装されることにより、オプション機器３の接続台数を増加させても給湯器１とオプション機器３との間は通信バッファ装置１２によって縁切られているため、接続台数の増加によるラインインピーダンスの低下は生じない。
【００４４】
その上、本実施形態では、各オプション機器３への電源供給が、給湯器１とは別個に構成された電源装置１３から行なわれるので、この電源装置１３の電源容量を十分に確保することによって、オプション機器３の増設に伴う電源容量の不足を生じることがない。
【００４５】
なお、上述した実施形態は本発明の好適な実施形態を示すものであって、本発明はこれに限定されることなく、その発明の範囲内で種々設計変更可能である。
【００４６】
たとえば、上記実施形態１では上記接続許容機器情報の記憶と、追加接続されるリモコン装置２等の接続適否についての自動判定を、給湯器１の制御部５によって行わせるように構成した場合を示したが、上記接続許容機器情報の記憶や接続適否の判定はリモコン装置２の制御部９やオプション機器３の制御部１０で行わせることも可能である。つまり、給湯システムを構成する機器が相互に通信可能であるので、上述した情報の記憶や判定をどの機器で行わせてもよく、さらに上記接続許容機器情報を制御部５のＲＯＭに記憶させることも可能である。
【００４７】
また、上記実施形態では、表示部８が蛍光表示管で構成された場合を示したが、この表示部８としては、たとえば液晶パネル等の他の表示デバイスを用いることも勿論可能である。また、上記実施形態では、制御部５での判定結果が表示部８に表示される場合を示したが、警報音や音声メッセージによって判定結果を放置するように構成することも可能である。
【００４８】
また、上述した第２の実施形態では、信号の入力側と出力側とを電気的に絶縁するにあたり、フォトダイオードとフォトトランジスタで構成されたフォトカプラ回路１４を用いる構成を示したが、信号の入力側と出力側とが電気的に絶縁され、かつ信号伝送が可能であれば他の構成によることも可能である。
【００４９】
【発明の効果】
以上詳述したように、本発明の給湯システムによれば、給湯器と、該給湯器を遠隔操作するためのリモコン装置と、上記給湯器に接続されるオプション機器とが相互に通信可能に構成された給湯システムにおいて、上記給湯器、リモコン装置およびオプション機器のいずれかにデータ記憶手段が設けられるとともに、このデータ記憶手段に上記給湯器に接続できるリモコン装置およびオプション機器を特定する情報が記憶され、上記リモコン装置の所定操作によってデータ記憶手段に記憶された情報がリモコン装置の表示部に表示されることから、給湯器にリモコン装置やオプション機器を接続するにあたり、作業員は施工現場でリモコン操作によって給湯器に接続可能なリモコン装置やオプション機器についての情報を得ることができ、追加接続の可否を容易かつ正確に把握できる。そのため、作業を迅速に進めることが可能となり、また、これにともなって、従来必要とされていた作業員の教育を簡素化でき、マニュアル等の作成コストの削減も図ることができる。
【００５０】
また、上記給湯システムにおいて、給湯器、リモコン装置およびオプション機器のいずれかに給湯システムの接続状況を確認する接続状況確認手段が設けられるとともに、この接続状況確認手段で得た接続状況と上記データ記憶手段に記憶された情報とを比較して、上記給湯器に接続された機器についての接続の適否を判定する接続判定手段が、上記給湯器、リモコン装置およびオプション機器のいずれかに設けられていることにより、給湯器に接続された機器についての接続適否を自動的に判定できるようになり、より一層作業の効率化を図ることが可能となる。
【００５１】
さらに、本発明の給湯システムでは、給湯器と、該給湯器を遠隔操作するためのリモコン装置と、上記給湯器に接続されるオプション機器とを備え、これらの機器が相互に通信が可能に構成されたものにおいて、上記給湯器とオプション機器との通信線に上記オプション機器に対して電源を供給する電源装置が接続され、上記オプション機器がこの電源装置から電源供給を受けるように構成されていることから、給湯器の電源部の電源容量を気にせずにオプション機器の追加接続が可能となる。また、上記給湯器とオプション機器との通信線上に通信バッファ装置が介装され、この通信バッファ装置によって上記通信線を介して送受信される信号が電気的に絶縁されることにより、オプション機器の接続台数の増加に伴うラインインピーダンスの低下を問題とせずにオプション機器を接続することができるようになり、従来より接続台数の増加を図ることが可能となる。
【図面の簡単な説明】
【図１】本発明に係る給湯システムの第１の実施形態の構成を示すブロック図である。
【図２】同給湯システムを構成するリモコン装置の表示部における表示形態の一例を示す図である。
【図３】同給湯システムの第２の実施形態を示す概略構成図である。
【図４】図３に示す給湯システムの通信バッファ装置の構成を示すブロック図である。
【図５】従来の給湯システムにおけるオプション機器の接続状態を示す説明図である。
【符号の説明】
１                給湯器
２                リモコン装置
３                オプション機器
４                通信線
５                給湯器の制御部（接続状況確認手段、接続判定手段）
７                不揮発性メモリ（データ記憶手段）
８                表示部
１１              中継装置
１２              通信バッファ装置
１３              電源装置
１４              フォトカプラ回路
１７，１８        通信回路
１９              制御回路
３０              給湯器の電源部
【図１】
0003646568.tif 000002
【図２】
0003646568.tif 000003
【図３】
0003646568.tif 000004
【図４】
0003646568.tif 000005
【図５】
0003646568.tif 000006